(57)【要約】【課題】衣服着用対象（例えば、ペット）の体型に合った衣服情報のユーザーへの提供を、低コストで実現できるようにする。【解決手段】原稿台に載置された原稿の画像を読み取る原稿読取部５と、原稿読取部５の動作を制御する制御部１００と、を備え、制御部１００は、原稿台に載置されている衣服を原稿として原稿読取部５に読み取らせる場合、原稿読取部５による読み取りで得られた原稿のエッジデータに基づいて、原稿としての衣服を包含する矩形領域のサイズを算出し、サイズ情報に対応付けられた衣服情報を記憶する衣服情報データベースから、算出したサイズに適合する衣服情報を取得し、取得した衣服情報をユーザーに提供する。【選択図】図１
2019012357.tif 000002
【特許請求の範囲】
【請求項１】
原稿台に載置された原稿の画像を読み取る原稿読取部と、
前記原稿読取部の動作を制御する制御部とを備える画像形成装置であって、
前記制御部は、前記原稿台に載置されている衣服を原稿として前記原稿読取部に読み取らせる場合、前記原稿読取部による読み取りで得られた原稿のエッジデータに基づいて、原稿としての衣服を包含する矩形領域のサイズを算出し、
前記画像形成装置に接続された衣服情報データベースであって、サイズ情報に対応付けられた衣服情報を記憶する衣服情報データベースから、前記算出したサイズに対応付けられた前記衣服情報を取得し、取得した前記衣服情報をユーザーに提供するための予め定められた処理を行う画像読取装置。
【請求項２】
表示部を更に備え、
前記制御部は、前記取得した前記衣服情報に含まれる商品情報に基づいて、衣服の商品リストを前記表示部に表示させる請求項１に記載の画像読取装置。
【請求項３】
前記制御部は、前記原稿台への前記原稿としての衣服の置き方を示すメッセージを前記表示部に表示させる請求項２に記載の画像読取装置。
【請求項４】
データ通信を行うデータ通信部と、
前記表示部に表示された商品リストからのユーザー選択を受け付ける選択受付部と、を更に備え、
前記制御部は、前記選択受付部により受け付けられた選択結果を、前記データ通信部を介して、予め定められた発注先に通知する請求項２又は請求項３に記載の画像読取装置。
【請求項５】
請求項１乃至請求項４のいずれかに記載の画像読取装置と、
記録紙に画像を形成する画像形成部と、を備え、
前記衣服情報には、商品情報が含まれ、
前記制御部は、前記画像形成部に、取得した前記衣服情報に含まれる前記商品情報に基づいて、衣服の商品リストを記録紙に形成させる画像形成装置。
【請求項６】
請求項１乃至請求項４のいずれかに記載の画像読取装置と、
記録紙に画像を形成する画像形成部と、を備え、
前記衣服情報には、衣服を作成するための型紙を示す型紙画像データが含まれ、
前記制御部は、前記画像形成部に、取得した前記衣服情報に含まれる前記型紙画像データに基づいて、当該型紙画像データが示す型紙画像を記録紙に形成させる画像形成装置。
【請求項７】
請求項２に記載の画像読取装置と、
記録紙に画像を形成する画像形成部と、
前記表示部に表示された商品リストからのユーザー選択を受け付ける選択受付部と、を備え、
前記衣服情報には、衣服を作成するための型紙を示す型紙画像データが含まれ、
前記制御部は、前記画像形成部に、前記選択受付部により受け付けられた選択結果に対応する前記型紙画像データに基づいて、当該型紙画像データが示す型紙画像を記録紙に形成させる画像形成装置。
【請求項８】
前記型紙画像に対する大きさのユーザー補正を受け付ける補正受付部を更に備え、
前記制御部は、前記画像形成部に、前記補正受付部により受け付けられたユーザー補正の内容に従った型紙画像を記録紙に形成させる請求項６又は請求項７に記載の画像形成装置。
【発明の詳細な説明】
【技術分野】
【０００１】
本発明は、画像読取装置及び画像形成装置に関し、特に、原稿台に載置された原稿のサイズを検出する技術に関する。
【背景技術】
【０００２】
下記の特許文献１には、位置マーカーが複数貼られた人体をカメラで撮影し、撮影することによって得られた画像データから各位置マーカーを検出し、検出結果から人体の各部分の大きさを特定し、その大きさに合わせて服飾データをスケーリングすることが記載されている。
【先行技術文献】
【特許文献】
【０００３】
【特許文献１】特開２００５−２５６２３２号公報
【発明の概要】
【発明が解決しようとする課題】
【０００４】
今日、例えば犬や猫などのペットに服を着せている飼い主は少なくない。人間と同様に、ペットの服についても、１号・２号といった号数での表記や、Ｓ・Ｍといった表記があるが、犬種によって、胴回り（胸囲）や着丈（背丈）などが微妙に異なる。また、サイズ表記の基準は、メーカーによって異なるので、サイズ表記だけで、ペットの体型に合った服を見つけるのは難しい。そのため、飼い主がペットの体型に合った服を取得するのは簡単ではない。
【０００５】
ところで、上記の特許文献１に記載された技術を応用すれば、ペットも含め、衣服着用対象の体型に合った衣服を簡単に見つけることができるようになるかもしれないが、計測装置となる位置マーカーを多数必要とし、処理も複雑となり、コストが掛かりすぎるという問題がある。
【０００６】
本発明は、上記の事情に鑑みなされたものであり、衣服着用対象（例えば、ペット）の体型に合った衣服情報のユーザーへの提供を、低コストで実現できるようにすることを目的とする。
【課題を解決するための手段】
【０００７】
コピー機や複合機等のスキャン機能を有した電子機器には、原稿台（プラテンガラス）全面をスキャンして、原稿台に載置された原稿を切り取り、原稿のサイズを自動的に検出するオートクロップ機能を有しているものがある。
【０００８】
ところで、衣服着用対象の体型に合った衣服をユーザーが既に保有している場合、その服と同等サイズの服を購入すれば、サイズ間違いはないと考えられる。
【０００９】
特に、犬や猫などのペット服の多くは、比較的小さく、三つ折り程度に畳んだだけでも、一般的な画像形成装置が備える原稿台上に収めることができる。そのため、上記オートクロップ機能を用いれば、飼い主であるユーザーが保有しているペット服のサイズ（すなわち、ペットの体型に合った服のサイズ）を自動的に検出することができる。
【００１０】
本発明は、上記知見に基づきなされた発明であり、本発明の一局面に係る画像読取装置は、原稿台に載置された原稿の画像を読み取る原稿読取部と、前記原稿読取部の動作を制御する制御部とを備える画像形成装置であって、前記制御部は、前記原稿台に載置されている衣服 を原稿として前記原稿読取部に読み取らせる場合、前記原稿読取部による読み取りで得られた原稿のエッジデータに基づいて、原稿としての衣服を包含する矩形領域のサイズを算出し、前記画像形成装置に接続された衣服情報データベースであって、サイズ情報に対応付けられた衣服情報を記憶する衣服情報データベースから、前記算出したサイズに対応付けられた前記衣服情報を取得し、取得した前記衣服情報をユーザーに提供するための予め定められた処理を行うものである。
【００１１】
本発明の一局面に係る画像形成装置は、上記画像読取装置と、記録紙に画像を形成する画像形成部と、を備え、前記衣服情報には、商品情報が含まれ、前記制御部は、前記画像形成部に、取得した前記衣服情報に含まれる前記商品情報に基づいて、衣服の商品リストを記録紙に形成させるものである。
【発明の効果】
【００１２】
本発明では、例えば衣服着用対象の体型に合った衣服を原稿として読み取らせれば、当該衣服着用対象の体型に適合する衣服情報（例えば、商品情報）をユーザーに提供するための処理を行うことになるため、衣服着用対象の体型に合った衣服情報をユーザーに提供することを低コストで実現することが可能になる。
【図面の簡単な説明】
【００１３】
【図１】本発明の第１実施形態に係る画像形成装置の主要内部構成を概略的に示した機能ブロック図である。
【図２】第１実施形態に係る画像形成装置の外観を示した斜視図である。
【図３】第１実施形態に係る画像形成装置における制御ユニットで行われる処理動作の一例を示したフローチャートである。
【図４】載置読取用プラテンガラスに載置されているペット服の状態の一例を示した図である。
【図５】表示部に表示される表示画面の一例を示した図である。
【図６】第２実施形態に係る画像形成装置における制御ユニットで行われる処理動作の一例を示したフローチャートである。
【図７】表示部に表示される表示画面の一例を示した図である。
【図８】型紙画像データの一例を示す図である。
【発明を実施するための形態】
【００１４】
以下、本発明の一実施形態に係る画像読取装置及び画像形成装置について図面を参照して説明する。図１は、本発明の第１実施形態に係る画像形成装置の主要内部構成を概略的に示した機能ブロック図であり、図２は、第１実施形態に係る画像形成装置の外観を示した斜視図である。
【００１５】
画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、及びネットワークインターフェイス部９１を含んで構成されている。
【００１６】
画像形成装置１で原稿読取動作が行われる場合について説明する。原稿給送部６により搬送されて搬送読取用プラテンガラス１６１を通過する原稿、又は載置読取用プラテンガラス１６２に載置された原稿の画像を、原稿読取部５が光学的に読み取り、そして画像データを生成する。原稿読取部５により生成された画像データは、画像メモリー３２等に保存される。なお、載置読取用プラテンガラス１６２は、特許請求の範囲における原稿台の一例である。
【００１７】
画像形成装置１で画像形成動作が行われる場合について説明する。原稿読取動作により生成された画像データや、ＨＤＤ９２に記憶されている画像データ、ネットワーク接続されたコンピューターから受信した画像データ等に基づいて、画像形成部１２が、給紙部１４から給紙される記録媒体としての記録紙にトナー像を形成する。
【００１８】
ＨＤＤ９２は、原稿読取部５によって読み取られた原稿画像等を記憶する大容量の記憶装置である。画像メモリー３２は、原稿読取部５による読み取りで得られた原稿の画像データを記憶したり、画像形成部１２のプリント対象となるデータを一時的に保存したりするための領域である。
【００１９】
定着部１３は、熱圧着によりトナー像を記録紙に定着させるものであり、定着処理が施された記録紙は排出トレイ１５１に排出されることになる。給紙部１４は、給紙カセットを備える。
【００２０】
ネットワークインターフェイス部９１は、ローカルエリア内、又はインターネット上の電子機器やサーバー等の外部装置２０と種々のデータの送受信を行うものである。
【００２１】
操作部４７は、画像形成装置１が実行可能な各種動作及び処理について操作者から画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２２】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、モード設定部１０３とを備えている。
【００２３】
制御ユニット１０は、ＨＤＤ９２に記憶されている制御プログラムに従った上記プロセッサーによる動作により、制御部１００、操作受付部１０１、及びモード設定部１０３として機能するものである。但し、制御部１００等は、制御ユニット１０による制御プログラムに従った動作によらず、ハードウェア回路により構成することも可能である。以下、特に触れない限り、各実施形態について同様である。
【００２４】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、及びネットワークインターフェイス部９１と接続され、これら各部の駆動制御等を行う。なお、ネットワークインターフェイス部９１は、特許請求の範囲におけるデータ通信部の一例である。
【００２５】
操作受付部１０１は、操作部４７を介したユーザーからの操作入力を受け付ける。また、操作受付部１０１は、選択受付部１０２を備えている。選択受付部１０２は、後で詳しく説明するが、表示部４７３に表示される商品リストＬＴ１（図５を参照）からのユーザー選択を受け付ける。
【００２６】
モード設定部１０３は、操作受付部１０１が、載置読取用プラテンガラス１６２に載置されている衣服を原稿として原稿読取部５に読み取らせる衣服読取モードのユーザー設定を受け付けると、当該衣服読取モードを設定する。
【００２７】
次に、第１実施形態に係る画像形成装置１の制御ユニット１０で行われる処理動作の一例について、図３に示したフローチャートに基づいて説明する。なお、この処理動作は、モード設定部１０３が、ユーザーからの指示を受けて、衣服読取モードを設定した場合に行われる処理動作である。また、ここでは、原稿読取部５にペット服を原稿として読み取らせる場合を例に挙げて説明する。
【００２８】
モード設定部１０３により、衣服読取モードが設定されると、制御部１００が、載置読取用プラテンガラス１６２へのペット服の置き方を示したメッセージを表示部４７３に表示させることによって、当該置き方をユーザーに案内する（Ｓ１）。当該メッセージとしては、例えば、「ペット服を３つに折りたたみ、横長にしてプラテンガラスに丁寧に置いてください」といったものが挙げられる。
【００２９】
続いて、制御部１００は、操作受付部１０１が、操作部４７を介して行われた、ユーザーからの原稿の読取指示を受け付けたか否かを判断する（Ｓ２）。操作受付部１０１が、当該読取指示を受け付けたと判断した場合（Ｓ２でＹＥＳ）、制御部１００は、原稿読取部５に載置読取用プラテンガラス１６２に載置されている原稿（すなわち、ユーザーが保有するペット服）を読み取らせ（Ｓ３）、原稿読取部５による読み取りで得られた原稿のエッジデータに基づいて、原稿としてのペット服を包含する矩形領域Ｅ１（図４を参照）を検出する（Ｓ４）。
【００３０】
図４は、載置読取用プラテンガラス１６２に載置されているペット服の状態の一例を示した図である。制御部１００は、例えば、エッジデータから原稿であるペット服Ｔの輪郭を構成する直線を１本検出し（ここでは直線ＬＡ）、検出した直線ＬＡの傾きを求め、次に直線ＬＡと直交する原稿外枠の直線ＬＢ，ＬＣを検出し、直線ＬＡと平行する原稿外枠の直線ＬＤを検出することによって、矩形領域Ｅ１を検出する。
【００３１】
続いて、制御部１００は、検出した矩形領域Ｅ１のサイズとして、当該矩形領域Ｅ１の縦辺ｙ／横辺ｘの長さを算出し（Ｓ５）、ネットワークインターフェイス部９１を介して、予め定められた在庫管理サーバーＳＲＶ１（図１）としての外部装置２０へアクセスし、算出したサイズ情報（縦辺ｙ／横辺ｘ）を在庫管理サーバーＳＲＶ１へ送信して、当該サイズ情報が示すサイズに適合するペット服の商品情報の送信を要求する（Ｓ６）。在庫管理サーバーＳＲＶ１は、画像形成装置１に、例えばインターネットにより接続されている。
【００３２】
在庫管理サーバーＳＲＶ１は、サイズ情報に対応付けられたペット服情報を記憶するペット服情報データベースＤＢ１（図１）を備え、当該ペット服情報には、ペット服の商品情報が含まれている。また、商品情報としては、例えば、識別情報（商品番号）や、ペット服画像データ、名称情報、価格情報などが挙げられる。なお、ペット服情報データベースＤＢ１は、特許請求の範囲における衣服情報データベースの一例である。
【００３３】
在庫管理サーバーＳＲＶ１は、上記要求を受け付けると、ペット服情報データベースＤＢ１から、受信したサイズ情報に基づいて、当該サイズ情報が示すサイズに適合する商品情報（例えば、当該サイズとの寸法差異が予め定められた範囲内であるペット服の商品情報）を読み出し、読み出した商品情報を上記要求の元である画像形成装置１へ送信する。
【００３４】
制御部１００は、在庫管理サーバーＳＲＶ１から送信されてきた商品情報を取得すると（Ｓ７）、取得した商品情報（ペット服画像データ、名称情報、価格情報）に基づいて、ペット服の商品リストの表示用画像データを作成し、当該表示用画像データが示す商品リストを表示部４７３に表示させる（Ｓ８）。
【００３５】
図５は、表示部４７３に表示される商品リストの一例を示した図である。商品リストＬＴ１には、商品であるペット服毎にそれぞれの画像Ｇ１〜Ｇ３、名称Ｎ１〜Ｎ３、及び価格Ｐ１〜Ｐ３が表示されると共に、ユーザーが購入を選択するための「購入」と記された選択ボタンＢ１〜Ｂ３が表示されている。
【００３６】
なお、ここでは、制御部１００が、ペット服情報データベースＤＢ１を備える在庫管理サーバーＳＲＶ１へアクセスして、ペット服の商品情報を取得する場合について説明しているが、ペット服情報データベースＤＢ１については、ＨＤＤ９２に構成して、制御部１００が、ＨＤＤ９２へアクセスして、ペット服の商品情報を取得するようにしてもよい。
【００３７】
続いて、制御部１００は、選択受付部１０２が、表示部４７３に表示された商品リストＬＴ１からのユーザー選択を受け付けたか否かを判断する（Ｓ９）。選択受付部１０２が当該ユーザー選択を受け付けたと判断した場合（Ｓ９でＹＥＳ）、制御部１００は、選択受付部１０２が受け付けたユーザーの選択結果を記憶し（Ｓ１０）、商品の購入に必要なユーザー情報（例えば、名前、住所、電話番号）の登録を、表示部４７３を介してユーザーへ促すと共に、当該登録を受け付ける（Ｓ１１）。
【００３８】
制御部１００は、ユーザー情報の登録が完了したと判断すると、登録されたユーザー情報と合わせて、記憶した選択結果（例えば、ユーザーが選択した商品を示す商品番号）を、ネットワークインターフェイス部９１を介して、予め定められた発注先である注文管理サーバーＳＲＶ２（図１）としての外部装置２０へ通知することによって、商品を注文する（Ｓ１２）。
【００３９】
上記第１実施形態によれば、衣服着用対象であるペットの体型に合った衣服を原稿として読み取らせることによって、当該ペットの体型に適合する衣服情報として、商品リストＬＴ１がユーザーに提供される。また、スキャン機能を有した従来の電子機器の改良によって、上記提供は実現される。従って、衣服着用対象の体型に合った衣服情報のユーザーへの提供が、低コストで実現可能となる。また、商品リストＬＴ１を介して、ユーザーは好みのペット服を注文することができるので、ペットの体型に合った服を簡単に取得することが可能となる。
【００４０】
なお、上記第１実施形態では、制御部１００が、算出したサイズ情報として、縦辺ｙ／横辺ｘの長さを示した寸法を、在庫管理サーバーＳＲＶ１へ通知する場合について説明しているが、在庫管理サーバーＳＲＶ１が備えるペット服情報データベースＤＢ１に記憶されているサイズ情報が、寸法情報ではなく、予め定められた規定サイズ（例えば、１号、２号）である場合、制御部１００が、算出した寸法（縦辺ｙ／横辺ｘ）から、適合する規定サイズを選択し、選択した規定サイズを在庫管理サーバーＳＲＶ１へ通知するようにしてもよい。
【００４１】
また、上記第１実施形態では、商品リストＬＴ１を表示部４７３に表示させる場合について説明しているが、別の実施形態としては、制御部１００が、在庫管理サーバーＳＲＶ１から送信されてきた商品情報を取得すると、取得した商品情報（ペット服画像データ、名称情報、価格情報）に基づいて、ペット服の商品リストの印刷用画像データを作成し、作成した印刷用画像データに基づいて、画像形成部１２に、当該印刷用画像データが示す商品リストを記録紙に形成させるようにしてもよい。
【００４２】
また、更なる別の実施形態としては、ペット服情報を、犬種など、ペットの品種に対応付けてペット服情報データベースＤＢ１に記憶させておき、操作受付部１０１が、犬種など、ペットの品種のユーザー入力を受け付けるようにし、制御部１００が、サイズ情報と一緒に、品種情報を在庫管理サーバーＳＲＶ１へ送信するようにしてもよい。これによって、ペット服情報データベースＤＢ１から、ペットの体型により適合したペット服情報を読み出すことができる。
【００４３】
次に、第２実施形態に係る画像形成装置１の制御ユニット１０で行われる処理動作の一例について、図６に示したフローチャートに基づいて説明する。上記第１実施形態では、商品リストをユーザーに提示しているが、当該第２実施形態では、ユーザーの保有するペット服とサイズが合致するペット服の型紙をユーザーに提示する点で上記第１実施形態と相違する。なお、この処理動作は、Ｓ１〜Ｓ５までは、図３に示したフローチャートと同じであるため、その部分についての説明を省略する。
【００４４】
第２実施形態では、制御部１００が、ペット服の置き方を表示部４７３でのメッセージ表示によりユーザーに案内するとき（Ｓ１）、当該メッセージとして、例えば、「ペット服を拡げてプラテンガラスに丁寧に置いてください」といった案内を表示させる。ユーザーは、当該案内に従って、載置読取用プラテンガラス１６２にペット服を拡げて置くものとする。なお、後述する図８は、読み出した型紙画像データを示すが、ペット服を拡げた状態とは、ペット服を図８に示すように拡げた状態である。
【００４５】
Ｓ５では、上記拡げた状態でのペット服のサイズ情報（縦辺ｙ／横辺ｘ）を算出する。制御部１００は、ネットワークインターフェイス部９１を介して、予め定められた型紙管理サーバーＳＲＶ３（図１）としての外部装置２０へアクセスし、Ｓ５で算出したサイズ情報（縦辺ｙ／横辺ｘ）を型紙管理サーバーＳＲＶ３へ送信して、当該サイズ情報が示すサイズに適合するペット服の型紙画像データの送信を要求する（Ｓ２６）。
【００４６】
型紙管理サーバーＳＲＶ３は、サイズ情報に対応付けられたペット服情報を記憶するペット服情報データベースＤＢ２（図１）を備え、当該ペット服情報には、ペット服を作成するための型紙を示す型紙画像データが含まれている。なお、ペット服情報データベースＤＢ２は、特許請求の範囲における衣服情報データベースの一例である。
【００４７】
型紙管理サーバーＳＲＶ３は、上記要求を受け付けると、ペット服情報データベースＤＢ２から、受信したサイズ情報に基づいて、当該サイズ情報が示すサイズに適合する型紙画像データ（例えば、当該サイズとの寸法差異が予め定められた範囲内であるペット服の型紙画像データ）を読み出し、読み出した型紙画像データ（図８参照）を上記要求の元である画像形成装置１へ送信する。なお、型紙管理サーバーＳＲＶ３は、当該サイズ情報が示すサイズに適合する型紙画像データが複数ある場合は、全ての型紙画像データを画像形成装置１へ送信する。
【００４８】
制御部１００は、型紙管理サーバーＳＲＶ３から送信されてきた型紙画像データを取得すると（Ｓ２７）、取得した型紙画像データに基づいて、画像形成部１２に、当該型紙画像データが示す型紙画像を記録紙に形成させ（Ｓ２８）、型紙画像が形成された記録紙を排出トレイ１５１に排出させる（Ｓ２９）。なお、制御部１００は、型紙画像が記録紙１枚に収まらないと判断した場合、複数枚の記録紙に分けて、型紙画像を記録紙に形成させる。
【００４９】
なお、ここでは、制御部１００が、ペット服情報データベースＤＢ２を備える型紙管理サーバーＳＲＶ３へアクセスして、型紙画像データを取得する場合について説明しているが、ペット服情報データベースＤＢ２については、ＨＤＤ９２に構成して、制御部１００が、ＨＤＤ９２へアクセスして、型紙画像データを取得するようにしてもよい。
【００５０】
この第２実施形態によれば、衣服着用対象であるペットの体型に適合する衣服情報として、型紙画像が形成された記録紙がユーザーに提供される。従って、ユーザーは当該型紙画像が示す型紙を用いて、好きな素材で、適切なサイズのペット服を作成することが可能となる。
【００５１】
また、別の実施形態としては、制御部１００が、図７に示すように、「型紙印刷」と記された選択ボタンＢ４〜Ｂ６が形成された商品リストＬＴ２を表示部４７３に表示させ、選択受付部１０２が、選択ボタンＢ４〜Ｂ６のユーザー選択を受け付けると、制御部１００が、選択受付部１０２が受け付けたユーザーの選択結果に対する型紙画像データを取得し、取得した型紙画像データ基づいて、画像形成部１２に、当該型紙画像データが示す型紙画像を記録紙に形成させるようにしてもよい。
【００５２】
また、更なる別の実施形態としては、操作受付部１０１が、型紙画像に対する大きさのユーザー補正（寸法の拡大、縮小の調整）を受け付ける補正受付部を備えるようにし、制御部１００が、当該補正受付部により受け付けられたユーザー補正の内容に従った印刷用型紙画像データを作成し、作成した印刷用型紙画像データ（すなわち、ユーザー補正を受けた画像データ）に基づいて、画像形成部１２に、当該印刷用型紙画像データが示す型紙画像を記録紙に形成させるようにしてもよい。これにより、既成のサイズではない、カスタマイズされたペット服の型紙をユーザーが手に入れることが可能となる。
【００５３】
また、本発明は上記実施の形態の構成に限られず種々の変形が可能である。また、上記実施形態では、本発明に係る画像読取装置及び画像形成装置の一実施形態として複合機を用いて説明しているが、これは一例に過ぎず、例えば、コピー機、プリンター、ファクシミリ等の他の画像形成装置でもよい。
【００５４】
また、図１乃至図８を用いて上記実施形態により示した構成及び処理は、本発明の一実施形態に過ぎず、本発明を当該構成及び処理に限定する趣旨ではない。
【符号の説明】
【００５５】
１        画像形成装置
５        原稿読取部
１２      画像形成部
９１      ネットワークインターフェイス部
１００    制御部
１０２    選択受付部
１６２    載置読取用プラテンガラス
４７３    表示部
【図１】
2019012357.tif 000003
【図２】
2019012357.tif 000004
【図３】
2019012357.tif 000005
【図４】
2019012357.tif 000006
【図５】
2019012357.tif 000007
【図６】
2019012357.tif 000008
【図７】
2019012357.tif 000009
【図８】
2019012357.tif 000010